(57)【要約】【課題】被水による封止部材の破壊、防水機能等の低下を低コストで極力防止できるコネクタを提供する。【解決手段】外部に一端が開口された電線引出孔４を有するコネクタハウジング２と、電線引出孔４より外部に引き出された電線Ｗと、電線Ｗの外側に装着され、電線引出孔４の内周面に密着する封止部材１５とを備えたコネクタ１であって、コネクタハウジング２の電線引出側の外面５で、且つ、前記電線引出孔４より外周側には、電線引出孔４より引き出された電線Ｗに向かって傾斜し、且つ、跳ね返り水が集束する向きの円弧状のテーパ面６が形成されている。【選択図】図２
2016081794.tif 000002
【特許請求の範囲】
【請求項１】
外部に一端が開口された電線引出孔を有するコネクタハウジングと、前記電線引出孔より外部に引き出された電線と、前記電線の外側に装着され、前記電線引出孔の内周面に密着する封止部材とを備えたコネクタであって、
前記コネクタハウジングの電線引出側の面で、且つ、前記電線引出孔の外周側には、前記電線引出孔より引き出された電線に向かって傾斜し、且つ、跳ね返り水が集束する向きの円弧状のテーパ面が形成されていることを特徴とするコネクタ。
【請求項２】
請求項１記載のコネクタであって、
前記テーパ面は、前記電線引出孔の開口外縁を最内周として形成されたことを特徴とするコネクタ。
【請求項３】
請求項１又は請求項２記載のコネクタであって、
前記テーパ面は、前記テーパ面の曲面に当たった水の跳ね返り水が前記封止部材に向かって直進する水の進路上で集束する曲率の円弧であることを特徴とするコネクタ。
【発明の詳細な説明】
【技術分野】
【０００１】
本発明は、コネクタハウジングの電線引出孔からの水等の侵入を防止できるコネクタに関する。
【背景技術】
【０００２】
この種の従来のコネクタとして、特許文献１に開示されたものがある。このコネクタ５０は、図４に示すように、端子収容室（図示せず）及びこれに連続する電線引出孔５３を有するコネクタハウジング５１と、端子６０及びこれに接続された電線Ｗと、コネクタハウジング５１に装着される防水カバー７１とを備えている。電線引出孔５３は、コネクタハウジング５１の後面に開口している。端子６０は、端子収容室（図示せず）に配置され、電線Ｗは電線引出孔５２内に配置され、電線引出孔５２の開口より外部に引き出される。電線Ｗには封止部材であるゴム栓７０が装着されている。ゴム栓７０は、電線引出孔５２の内周面に密着している。防水カバー７１は、ゴム栓７０の後面を受けるリアホルダ部７１ａを一体に有し、コネクタハウジング５１の後面を覆っている。
【０００３】
コネクタハウジング５１の後面に向かって高圧洗浄水等の高圧水がかけられても、高圧水を防水カバー７１で受けるために、ゴム栓７０には高圧水が直接かかることがない。従って、高圧水によるゴム栓７０の破壊、防水機能の低下を防止できる。
【先行技術文献】
【特許文献】
【０００４】
【特許文献１】特開平１０−２４１７７９号公報
【発明の概要】
【発明が解決しようとする課題】
【０００５】
しかしながら、前記従来例では、コネクタハウジング５１に防水カバー７１を装着するため、部点数の増加、組立作業工程の増加等を招来し、コスト高になるという問題があった。
【０００６】
そこで、本発明は、前記した課題を解決すべくなされたものであり、被水による封止部材の破壊、防水機能等の低下を低コストで極力防止できるコネクタを提供することを目的とする。
【課題を解決するための手段】
【０００７】
本発明は、外部に一端が開口された電線引出孔を有するコネクタハウジングと、前記電線引出孔より外部に引き出された電線と、前記電線の外周に装着され、前記電線引出孔の内周面に密着する封止部材とを備えたコネクタであって、前記コネクタハウジングの電線引出側の面で、且つ、前記電線引出孔より外周側には、電線引出側の面からハウジング内部側に向かって徐々に縮径する円弧形状のテーパ面が形成されていることを特徴とするコネクタである。
【０００８】
前記テーパ面は、前記電線引出孔の開口外縁を最内周として形成されたものを含む。前記テーパ面は、前記テーパ面に当たった水の跳ね返り水が前記封止部材に向かって直進する水の進路上で集束する曲率の円弧であるものを含む。
【発明の効果】
【０００９】
本発明によれば、テーパ面に当った水は、封止部材に向かって進んでくる水の軌跡上を横切る進路で、しかも、集束した状態で跳ね返るため、封止部材に向かって進んでくる水に衝突して水粒の勢いを弱め、封止部材が受ける被水圧力が低下する。このようにコネクタハウジングのみで防水機能を高めることができる。以上より、被水による封止部材の破壊、防水機能等の低下を低コストで極力防止できる。
【図面の簡単な説明】
【００１０】
【図１】本発明の一実施形態を示し、コネクタの断面図である。
【図２】本発明の一実施形態を示し、（ａ）は図１のＡ部拡大図、（ｂ）は図２（ａ）のＢ矢視図である。
【図３】本発明の一実施形態を示し、テーパ面に直進した高圧洗浄水の跳ね返り軌跡を示す概略模式図である。
【図４】従来例のコネクタの分解斜視図である。
【発明を実施するための形態】
【００１１】
以下、本発明の一実施形態を図面に基づいて説明する。
【００１２】
図１〜図３は本発明の一実施形態を示す。図１に示すように、コネクタ１は、コネクタハウジング２を有する。コネクタハウジング２には、複数の端子収容室３と、各端子収容室３に連続する電線引出孔４が形成されている。端子収容室３は、前面が外部に開口している。電線引出孔４は、後面が外部に開口している。
【００１３】
端子１０は、端子収容室３に配置されている。端子１０には、電線Ｗの一端が接続されている。端子１０が接続された電線Ｗは、電線引出孔４内に配置され、電線引出孔４より外部に引き出されている。電線Ｗの外周には、封止部材１５が装着されている。封止部材１５は、外部に複数の突部（符号を付さず）が突設された筒形状であり、例えば弾性変形に富むゴム材より形成されている。封止部材１５は、電線Ｗの外周面と電線引出孔４の内周面に圧縮変形によってそれぞれ密着している。封止部材１５の後部側は、コネクタハウジング２の電線引出側の外面５より露出している。封止部材１５によって、電線引出孔４を通って外部より内部に浸入する水等の浸入を阻止している。
【００１４】
図２（ａ）、（ｂ）に詳しく示すように、コネクタハウジング２の電線引出側の外面５で、且つ、電線引出孔４より外周側には、電線引出孔４の全周を囲むようにテーパ面６が形成されている。このテーパ面６は、電線引出孔４の開口が円孔であるため、リング状である。テーパ面６は、電線引出孔４より引き出された電線Ｗに向かって傾斜し、且つ、跳ね返り水が集束する向きの円弧状の面である。換言すれば、テーパ面６は、電線引出側の外面５からハウジング内部側に向かって徐々に縮径する円弧状の面である。テーパ面６は、電線引出孔４の開口外縁を最内周として形成されている。つまり、封止部材１５の外周近傍にテーパ面６が形成されている。テーパ面６は、テーパ面６に当たった水の跳ね返り水が封止部材１５に向かって直進する水の進路上で集束する曲率の円弧である。
【００１５】
上記構成において、コネクタハウジング２の電線引出側の外面５で、且つ、電線引出孔４より外周側には、電線引出孔４より引き出された電線Ｗに向かって傾斜し、且つ、跳ね返り水が集束する向きの円弧状のテーパ面６が形成されている。従って、例えば高圧洗浄水がコネクタハウジング２の電線引出側の外面５に飛んでくると、その一部はテーパ面６に当る。テーパ面６に当って跳ね返る水（水粒）は、図３に示すように、封止部材１５に向かって進んでくる水（水粒）の軌跡上を横切る進路で、しかも、集束する進路で跳ね返る。すると、テーパ面６からの跳ね返り水（水粒）は、封止部材１５に向かって進んでくる水（水粒）に衝突して水の勢いを弱め、封止部材１５が受ける被水圧力が低下する。このように、従来例のように防水カバーを用いることなく、コネクタハウジング２のみで防水機能を高めることができるため、部点数の増加、組立作業工程の増加等を招来しない。以上より、被水による封止部材１５の破壊、防水機能等の低下を低コストで極力防止できる。特に、高圧洗浄水等の高圧水を被水する状況において有効な防水機能を発揮できる。
【００１６】
電線引出孔４の開口外縁には、テーパ面６が形成されている。端子１０をコネクタハウジング２の端子収容室３に収容する際には、テーパ面６が端子１０を電線引出孔４内にガイドするため、端子１０の挿入作業性が良い。
【００１７】
テーパ面６は、電線引出孔４の開口外縁を最内周として形成されている。従って、水勢の強い跳ね返り水が、封止部材１５に向かって進んでくる水に衝突するため、封止部材１５に向かって進んでくる水の勢いを十分に弱めることができ、封止部材１５が受ける被水圧力が有効に低下できる。
【００１８】
テーパ面６は、テーパ面６に当たった水の跳ね返り水が封止部材１５に向かって直進する水の進路上で集束する曲率の円弧である。従って、テーパ面６の跳ね返り水が確実に封止部材１５に向かって直進する水に衝突し、封止部材１５に向かって進んでくる水の勢いを確実に弱めることができ、封止部材１５が受ける被水圧力が有効に低下できる。
【符号の説明】
【００１９】
１  コネクタ
２  コネクタハウジング
４  電線引出孔
５  外面（電線引出側の面）
６  テーパ面
１５  封止部材
【図１】
2016081794.tif 000003
【図２】
2016081794.tif 000004
【図３】
2016081794.tif 000005
【図４】
2016081794.tif 000006